(57)【要約】      （修正有）【課題】簡単に目地プレートを元の位置に戻して、安全に使用することができる床用目地装置の提供。【解決手段】一方の床躯体に形成された目地プレート１０の後端部を支持する後端部支持凹部５と、他方の床躯体に形成された反目地部側が目地プレートを押し上げることができる傾斜面に形成された目地プレートの先端部を支持する先端部支持凹部と、この先端部支持凹部８と後端部支持凹部とに支持されて目地部２を覆う先端部が先端部支持凹部の傾斜面と接触する傾斜面に形成された目地プレート１０と、この目地プレートの後端部を該目地プレートの先端部が上方へ移動可能に支持する支持機構１１と、目地プレートの後端部と後端部支持凹部の反目地部側面との間に介装された上部が目地プレートの後端部の上面とほぼ同一面で隙間なくあるいはわずかな隙間を介して位置し、下部が十分な隙間を介して位置するスペーサ１２とで床用目地装置を構成している。【選択図】  図２
2006132108.tif 000002
【特許請求の範囲】
【請求項１】
目地部を介して設けられた左右の建物等の床躯体の目地部側の一方の床躯体に形成された目地プレートの後端部を支持する後端部支持凹部と、前記左右の建物等の床躯体の目地部側の他方の床躯体に形成された反目地部側が目地プレートを押し上げることができる傾斜面に形成された目地プレートの先端部を支持する先端部支持凹部と、この先端部支持凹部と前記後端部支持凹部とに支持されて、前記目地部を覆う先端部が前記先端部支持凹部の傾斜面と接触する傾斜面に形成された目地プレートと、この目地プレートの後端部を該目地プレートの先端部が上方へ移動可能に支持する支持機構と、前記目地プレートの後端部と前記後端部支持凹部の反目地部側面との間に介装された上部が該目地プレートの後端部の上面とほぼ同一面で隙間なく、あるいはわずかな隙間を介して位置し、下部が十分な隙間を介して位置するスペーサとからなることを特徴とする床用目地装置。
【請求項２】
目地部を介して設けられた左右の建物等の床躯体の目地部側の一方の床躯体に形成された目地プレートの後端部を支持する後端部支持凹部と、前記左右の建物等の床躯体の目地部側の他方の床躯体に形成された反目地部側が目地プレートを押し上げることができる傾斜面に形成された目地プレートの先端部を支持する先端部支持凹部と、この先端部支持凹部と前記後端部支持凹部とに支持されて、前記目地部を覆う先端部が前記先端部支持凹部の傾斜面と面接触する傾斜面に形成され、後端部が前記後端部支持凹部の反目地部側面の下部側との隙間が広くなるような傾斜面に形成された目地プレートと、この目地プレートの後端部を該目地プレートの先端部が上方へ移動可能に支持する支持機構と、前記目地プレートの後端部と前記後端部支持凹部の反目地部側面との間に介装された上面が隙間なく、あるいはわずかな隙間を介して位置するスペーサとからなることを特徴とする床用目地装置。
【発明の詳細な説明】
【技術分野】
【０００１】
本発明は床躯体間の目地部をバリアフリー状態で覆う床用目地装置に関する。
【背景技術】
【０００２】
従来、この種の床用目地装置は目地部側の一方の床躯体に形成された目地プレートの後端部を支持する後端部支持凹部と、目地部側の他方の床躯体に形成された反目地部側が目地プレートを押し上げることができる傾斜面に形成された目地プレートの先端部を支持する先端部支持凹部と、この先端部支持凹部と前記後端部支持凹部とに支持され、前記目地部を覆う先端部が前記先端部支持凹部の傾斜面と面接触する傾斜面に形成された目地プレートと、この目地プレートの後端部を該目地プレートの先端部が上方へ移動可能に支持する支持機構とで構成されている。
【０００３】
このように構成された床用目地装置は地震等によって左右の躯体が揺れ動き、停止した時には元の状態に戻れば問題が生じないが、目地部が狭くなってしまうと、目地プレートの先端部が他方の床躯体上に突出状態となり、危険になるという欠点があった。
また、この危険な状態の解消は、小さくなった目地部の寸法に応じた目地プレートと差し替えるか、先端部支持凹部を目地プレートの先端部が上方へ突出しないように改造しなければならず、いずれも日数のかかる改造になってしまうという欠点があった。
【特許文献１】特許第３３５４１１５号
【発明の開示】
【発明が解決しようとする課題】
【０００４】
本発明は以上のような従来の欠点に鑑み、バリアフリー状態に設置することができるとともに、地震等の揺れ動きで目地部の幅寸法が小さくなり、目地プレートの先端部が床面上へ突出した場合、短時間で簡単に目地プレートを元の位置に戻して、安全に使用することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物等の床躯体の目地部側の一方の床躯体に形成された目地プレートの後端部を支持する後端部支持凹部と、前記左右の建物等の床躯体の目地部側の他方の床躯体に形成された反目地部側が目地プレートを押し上げることができる傾斜面に形成された目地プレートの先端部を支持する先端部支持凹部と、この先端部支持凹部と前記後端部支持凹部とに支持されて、前記目地部を覆う先端部が前記先端部支持凹部の傾斜面と接触する傾斜面に形成された目地プレートと、この目地プレートの後端部を該目地プレートの先端部が上方へ移動可能に支持する支持機構と、前記目地プレートの後端部と前記後端部支持凹部の反目地部側面との間に介装された上部が該目地プレートの後端部の上面とほぼ同一面で隙間なく、あるいはわずかな隙間を介して位置し、下部が十分な隙間を介して位置するスペーサとで床用目地装置を構成している。
【発明の効果】
【０００７】
以上の説明から明らかなように、本発明にあっては次に列挙する効果が得られる。
【０００８】
（１）目地部を介して設けられた左右の建物等の床躯体の目地部側の一方の床躯体に形成された目地プレートの後端部を支持する後端部支持凹部と、前記左右の建物等の床躯体の目地部側の他方の床躯体に形成された反目地部側が目地プレートを押し上げることができる傾斜面に形成された目地プレートの先端部を支持する先端部支持凹部と、この先端部支持凹部と前記後端部支持凹部とに支持されて、前記目地部を覆う先端部が前記先端部支持凹部の傾斜面と接触する傾斜面に形成された目地プレートと、この目地プレートの後端部を該目地プレートの先端部が上方へ移動可能に支持する支持機構と、前記目地プレートの後端部と前記後端部支持凹部の反目地部側面との間に介装された上部が該目地プレートの後端部の上面とほぼ同一面で隙間なく、あるいはわずかな隙間を介して位置し、下部が十分な隙間を介して位置するスペーサとで構成されているので、地震等の揺れ動きで目地部の幅寸法が小さくなり、目地プレートの先端部が床面上に突出状態になった場合、スペーサを除去するか、あるいは薄いスペーサに交換することにより、目地プレートの先端部が床面上に突出した状態を解消することができる。
したがって、従来のように改修に長期間かかって、その間、危険な状態になっているのを、短時間に解消することができる。
【０００９】
（２）前記（１）によって、スペーサの除去あるいは交換でよいので、簡単な作業で、安価に短時間に元の状態に戻すことができる。
【００１０】
（３）前記（１）によって、スペーサの上面には隙間なく、あるいはわずかな隙間を介し、下部は十分な隙間を介して位置させているので、スペーサが上方へ移動するのを効率よく阻止することができるとともに、バリアフリー状態に設置することができる。
【００１１】
（４）前記（１）によって、構造が簡単であるので、容易に実施することができる。
【００１２】
（５）請求項２も前記（１）〜（４）と同様な効果が得られる。
【発明を実施するための最良の形態】
【００１３】
以下、図面に示す本発明を実施するための最良の形態により、本発明を詳細に説明する。
【００１４】
図１ないし図９に示す本発明を実施するための最良の第１の形態において、１は目地部２を介して設けられた左右の建物、建物とよう壁、よう壁とよう壁等の躯体３、３の床躯体３ａ、３ａ間の目地部２を覆う床用目地装置で、この床用目地装置１は前記左右の躯体３、３の目地部側の床躯体３ａに形成された目地プレートの後端部を支持するクランク状に曲げ加工された支持金具４が底面に固定された後端部支持凹部５と、前記左右の躯体３、３の床躯体３ａ、３ａの目地部側の他方の床躯体３ａに形成された反目地部側が目地プレートを押し上げることができる傾斜面６に形成された目地プレートのほぼ半分の先端部を支持する支持金具７が底面に固定された先端部支持凹部８と、この先端部支持凹部８の支持金具７と前記後端部支持凹部５の支持金具４に支持されて前記目地部２をバリアフリー状態で覆う、先端部が前記先端部支持凹部８の支持金具７の傾斜面６と面接触あるいは線接触する傾斜面９に形成された目地プレート１０と、この目地プレート１０の後端部を、該目地プレート１０の先端部が上方へ移動可能に支持する支持機構１１と、前記目地プレート１０の後端部と前記後端部支持凹部５の反目地部側の支持金具４面との間に介装された、上部が該目地プレート１０の後端部の上面とほぼ同一面で隙間なく、あるいはわずかな隙間を介して位置し、下部が十分な隙間を介して位置するスペーサ１２とで構成されている。
【００１５】
前記目地プレート１０は図３に示すように、先端部が傾斜面９に形成された浅皿状の金属材製の目地プレート本体１３と、この目地プレート本体１３の後部両側寄りの部位に取付けられた、開閉蓋１４、１４を備える支持機構挿入ケース１５、１５と、前記目地プレート本体１３内に収納されたコンクリートやモルタル１６および化粧タイル等の床化粧板１７とで構成されている。
【００１６】
前記支持機構１１は図４に示すように、前記目地プレート１０の支持機構挿入ケース１５、１５の底面に形成されたピン挿入孔１８、１８と、このピン挿入孔１８、１８に遊びを介して挿入され、該部位の床躯体３ａに固定される上部が反目地部方向に突出する円柱あるいは角柱状の支持ピン１９、１９とで構成されている。
【００１７】
前記スペーサ１２は図５に示すように、上部の厚さ寸法よりも下部の厚さ寸法が小さいクサビ状に形成されたものが使用される。
【００１８】
上記構成の床用目地装置１は、通常時には先端部支持凹部８と後端部支持凹部５とを目地プレート１０でバリアフリー状態で覆われている。
地震等で目地部２が狭くなったり広くなったりすると、図６に示すように目地プレート１０の先端部が他方の床躯体３ａ上に乗り上げ、その揺れ動きを吸収し、図７に示すように目地プレート１０の先端部が先端部支持凹部８の支持金具７上をスライド移動して、ぞの揺れ動きを吸収する。
【００１９】
揺れ動きが停止した状態で目地部２が狭くなった場合、目地プレート１０の先端部は図８に示すように、他方の床躯体３ａ上に突出した状態となるが、この場合、スペーサ１２を除去するか、あるいは薄い厚さのスペーサ１２に交換することにより、図９に示すように目地プレート１０をバリアフリー状態に戻すことができる。
[発明を実施するための異なる形態]
【００２０】
次に、図１０ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図１０ないし図１２に示す本発明を実施するための第２の形態において、前記本発明を実施するための最良の第１の形態と主に異なる点は、断面長方形状のスペーサ１２Ａを用いるとともに、後端部の上部が外方へ突出する傾斜面２０に形成した目地プレート１０Ａを用いた点で、このように構成した床用目地装置１Ａにしても、前記本発明を実施するための最良の第１の形態と同様な作用効果が得られる。
【００２２】
図１３ないし図１５に示す本発明を実施するための第３の形態において、前記本発明を実施するための最良の第１の形態と主に異なる点は、断面長方形状のスペーサ１２Ａを用いるとともに、反目地部側が逆傾斜面２１に形成された後端部支持凹部５Ａ、支持金具４Ａを用いた点で、このように構成した床用目地装置１Ｂにしても、前記本発明を実施するための最良の第１の形態と同様な作用効果が得られる・
【産業上の利用可能性】
【００２３】
本発明は床用目地装置を製造する産業で利用される。
【図面の簡単な説明】
【００２４】
【図１】本発明を実施するための最良の第１の形態の平面図。
【図２】図１の２−２線に沿う断面図。
【図３】本発明を実施するための最良の第１の形態の目地プレートの説明図。
【図４】本発明を実施するための最良の第１の形態の支持機構の説明図。
【図５】本発明を実施するための最良の第１の形態のスペーサの説明図。
【図６】本発明を実施するための最良の第１の形態の目地部が狭くなった動作説明図。
【図７】本発明を実施するための最良の第１の形態の目地部が広くなった動作説明図。
【図８】本発明を実施するための最良の第１の形態の目地プレートの先端部が上方へ突出した状態の説明図。
【図９】本発明を実施するための最良の第１の形態の修理した状態の説明図。
【図１０】本発明を実施するための第２の形態の平面図。
【図１１】図１０の１１−１１線に沿う断面図。
【図１２】本発明を実施するための第２の形態の要部拡大断面図。
【図１３】本発明を実施するための第３の形態の平面図。
【図１４】図１３の１４−１４線に沿う断面図。
【図１５】本発明を実施するための第３の形態の要部拡大断面図。
【符号の説明】
【００２５】
１、１Ａ、１Ｂ：床用目地装置、            ２：目地部、
３：躯体、                                        ４、４Ａ：支持金具、
５、５Ａ：後端部支持凹部、        ６：傾斜面、
７：支持金具、                                ８：先端部支持凹部、
９：傾斜面、                                                １０、１０Ａ：目地プレート、
１１：支持機構、                            １２、１２Ａ：スペーサ、
１３：目地プレート本体、                        １４：開閉蓋、
１５：支持機構挿入ケース、        １６：コンクリートやモルタル、
１７：床化粧板、                            １８：ピン挿入孔、
１９：支持ピン、                            ２０：傾斜面、
２１：逆傾斜面。
【図１】
2006132108.tif 000003
【図２】
2006132108.tif 000004
【図３】
2006132108.tif 000005
【図４】
2006132108.tif 000006
【図５】
2006132108.tif 000007
【図６】
2006132108.tif 000008
【図７】
2006132108.tif 000009
【図８】
2006132108.tif 000010
【図９】
2006132108.tif 000011
【図１０】
2006132108.tif 000012
【図１１】
2006132108.tif 000013
【図１２】
2006132108.tif 000014
【図１３】
2006132108.tif 000015
【図１４】
2006132108.tif 000016
【図１５】
2006132108.tif 000017